(57)【特許請求の範囲】
【請求項１】
水よりも比重の低い材料により成形された胴体と、この胴体の中途部の左右両側又は後端の左右両側に形成された脚部と、を備え、これらの脚部は、上記胴体を中心に左右に突出されてなる弾性体と、この弾性体の一端側に固定され進行方向と直交する方向に水受け面が形成されている一方の水受け部と、上記弾性体の他端側に固定され進行方向と直交する方向に水受け面が形成されている他方の水受け部と、を備えてなることを特徴とするルアー。
【請求項２】
前記一方及び他方の水受け部の先端には、前記胴体が進行方向に操作された際該一方及び他方の水受け部内に流入した水が当接する当接部が形成されてなることを特徴とする請求項１記載のルアー。
【請求項３】
前記弾性体は、長方形状のゴム板により一体成形されてなるとともに、該ゴム板の正面は、前記胴体の進行方向を向いて取り付けられてなることを特徴とする請求項１又は２記載のルアー。
【請求項４】
前記胴体には、該胴体の進行方向と平行に１又は２以上の溝部が形成されてなることを特徴とする請求項１，２又は３記載のルアー。
【請求項５】
水よりも比重の低い材料により成形された胴体と、この胴体の左右両側に形成された脚部支持部材と、この脚部支持部材に対して回動可能に支持されてなる一方及び他方の脚部と、を備えてなり、これら一方及び他方の脚部は、上記脚部支持部材から左右又は下方に突出されてなる弾性体と、この弾性体の一端側に固定され進行方向と直交する方向に水受け面が形成されている一方の水受け部と、上記弾性体の他端側に固定され進行方向と直交する方向に水受け面が形成されている他方の水受け部と、上記一方の水受け部に固定されてなる一方の羽板と、上記他方の水受け部に固定されてなる他方の羽板と、を備えてなることを特徴とするルアー。
【請求項６】
水よりも比重の高い材料により成形された胴体と、この胴体の前端の左右両側に形成された前端側脚部と、上記胴体の後端に形成された後端側脚部と、を備え、これら前端側脚部は、上記胴体を中心に左右に突出されてなる第１の弾性体と、上記第１の弾性体の一端側に固定され上方に対して水受け面が形成されている第１の水受け部と、上記第１の弾性体の他端側に固定され上方に対して水受け面が形成されている第２の水受け部と、を備え、上記後端側脚部は、上記胴体の後方に突出されてなる第２の弾性体と、この第２の弾性体に固定され上方に対して開口が形成されている第３の水受け部と、を備えてなることを特徴とするルアー。
【発明の詳細な説明】
【０００１】
【産業上の利用分野】
本発明は、釣り道具のうち、疑似餌として使用されるルアーに関するものである。
【０００２】
【従来の技術】
ルアーは、従来より釣りのしかけとして、釣果を得るために広く用いられている。周知のように、ルアーは、ゴム、プラスチックや金属、或いはそれらの材質を組み合わせて成形され、魚や虫に似せた胴体と、この胴体に取り付けられた鉤状の釣り針とから構成されている。このルアーを釣り竿に取り付けられた釣り糸に結び付け、魚が潜んでいると思われる川、湖或いは海の水面又は水中に投じ、釣り竿或いは釣り竿とリールの両方を手で操作することにより、水面又は水中で該ルアーを移動させると、該ルアーから発生される音、振動又は光に反応し、或いは魚が該ルアーを餌と間違えて摂食すると、該ルアーに取り付けられた釣り針が魚の口中に突き刺ささるので、釣り糸を手繰りよせることにより魚を釣り上げることができる。ルアーには、水中に沈められ、ミミズ等の虫に似せて魚の食性に訴えるワームと呼ばれるものや、水面を移動させて使用され、魚が音、振動又は光に反応する習性を利用したトップウォータープラグと呼ばれるものなど、目的とする魚の性質に応じて様々な形状、大きさの物が提案され使用されている。また、トップウォータープラグにも様々なタイプがあり、いずれも水面上で泡や音を立て、虫や蛙等の小動物の動きをさせることにより水面下の魚を誘いだせるようになっている。
【０００３】
【発明が解決しようとする課題】
しかしながら、上述した従来のルアーは、水面下の魚を誘いだせるように効果的な動きをさせるには高度な技術が必要とされ、特に釣りを始めたばかりのビギナーにとっては困難な作業となる。また、従来のルアーは、色や形状は虫や小魚等に類似しているが、高度な技術を駆使してルアーを動かしても、ルアーの動きは、実物の虫や小魚の動きとは異なっており、魚が本来持っている学習能力により、何度も同じ場所に通って釣りをしていると、そのエリアの魚はルアーに対して徐々に反応が鈍くなり、釣果を上げるのが困難になってくる。
【０００４】
そこで、本発明は、上述した従来のルアーが有する課題を解決するために提案されたものであって、魚の餌である虫や小動物と極めて類似した動きを行い、かつ、釣りを始めたばかりのビギナーにとっても高度な技術を駆使することなく、容易に効果的な動きをさせることができ、釣果を上げるために極めて効果的なルアーを提供することを目的とするものである。
【０００５】
【課題を解決するための手段】
本発明は、上述した目的を達成するために提案されたものであって、第１の発明（請求項１記載の発明）は、水よりも比重の低い材料により成形された胴体と、この胴体の中途部の左右両側又は後端の左右両側に形成された脚部と、を備え、これらの脚部は、上記胴体を中心に左右に突出されてなる弾性体と、この弾性体の一端側に固定され進行方向と直交する方向に水受け面が形成されている一方の水受け部と、上記弾性体の他端側に固定され進行方向と直交する方向に水受け面が形成されている他方の水受け部と、を備えてなることを特徴とするものである。
【０００６】
この第１の発明（請求項１記載の発明）に係るルアーによれば、このルアーを、釣り竿に取り付けられた釣り糸の先端に結びつけ、該ルアーを魚が潜んでいると思われる川、湖或いは海の水面に投じ、釣り竿或いは釣り竿とリールの両方を手で操作することにより、水面上で該ルアーを移動させる。上記胴体が、釣り竿の操作により進行方向に移動したときに、上記一方及び他方の水受け部に流入した水の抵抗により、上記一方及び他方の水受け部は上記胴体と一直線となる。上記胴体の進行が止まると、上記一方及び他方の水受け部は、上記弾性体の弾性力により、元の位置に復帰する。こうした釣り竿の操作を繰り返すことにより、該ルアーは上記弾性体の湾曲と復帰を繰り返しながら水面を移動するので、あたかも魚の餌である例えば蛙のような小動物に極めて類似した動きを行い、水面下の魚を刺激し、魚の食性をも刺激するので、従来のルアーと比較して極めて高い釣果を上げることができる。
【０００７】
また、第２の発明（請求項２記載の発明）は、上記第１の発明において、前記一方及び他方の水受け部の先端には、前記胴体が進行方向に操作された際該一方及び他方の水受け部内に流入した水が当接する当接部が形成されてなることを特徴とするものである。
【０００８】
この第２の発明（請求項２記載の発明）に係るルアーによれば、前記一方及び他方の水受け部内に流入した水の抵抗がより大きいものとなり、従って、前記弾性体の湾曲と復帰の動きもより小動物の動きに近いものとなる。
【０００９】
また、第３の発明は（請求項３記載の発明）は、上記第１又は第２の発明において、前記弾性体は、長方形状のゴム板により一体成形されてなるとともに、該ゴム板の正面は、前記胴体の進行方向を向いて取り付けられてなることを特徴とするものである。
【００１０】
この第３の発明（請求項３記載の発明）に係るルアーでは、弾性体は長方形状のゴム板からなることから安価となり、水受け部の取り付けも簡単となる等、製造も容易とすることができる。
【００１１】
また、第４の発明（請求項４記載の発明）は、上記第１、２又は３の発明において、前記胴体には、該胴体の進行方向と平行に形成された１又は２以上の溝部が形成されてなることを特徴とするものである。
【００１２】
この第４の発明（請求項４記載の発明）に係るルアーによれば、前記胴体が進行する際に、前記溝部内を水が流通する。これにより、該胴体が水面を進行する際に振れることなく安定させることができる。
【００１３】
また、第５の発明（請求項５記載の発明）は、水よりも比重の低い材料により成形された胴体と、この胴体の左右両側に形成された脚部支持部材と、この脚部支持部材に対して回動可能に支持されてなる一方及び他方の脚部と、を備えてなり、これら一方及び他方の脚部は、上記脚部支持部材から左右又は下方に延設され該胴体の進行方向に対して直交する方向に付勢される細長い弾性体と、この弾性体の一端側に固定され進行方向と直交する方向に水受け面が形成されている一方の水受け部と、上記弾性体の他端側に固定され進行方向と直交する方向に水受け面が形成されている他方の水受け部と、上記一方の水受け部に固定されてなる一方の羽板と、上記他方の水受け部に固定されてなる他方の羽板と、を備えてなることを特徴とするものである。
【００１４】
この第５の発明（請求項５記載の発明）に係るルアーでは、前記胴体が進行する際に、前記一方及び他方の脚部を構成する弾性体の弾性力と、前記一方及び他方の水受け部に流入した水の抵抗により、前記一方及び他方の脚部が回動運動を行い、前記一方及び他方の水受け部に固定された前記一方及び他方の羽板が水面に打ち下ろされ、音や振動を生じる。
【００１５】
また、第６の発明（請求項６記載の発明）は、水よりも比重の高い材料により成形された胴体と、この胴体の前端の左右両側に形成された前端側脚部と、上記胴体の後端に形成された後端側脚部と、を備え、これら前端側脚部は、上記胴体を中心に左右に突出されてなる第１の弾性体と、上記第１の弾性体の一端側に固定され上方に対して水受け面が形成されている第１の水受け部と、上記第１の弾性体の他端側に固定され上方に対して水受け面が形成されている第２の水受け部と、を備え、上記後端側脚部は、上記胴体の後方に突出されてなる第２の弾性体と、この第２の弾性体に固定され上方に対して水受け面が形成されている第３の水受け部と、を備えてなることを特徴とするものである。
【００１６】
この第６の発明（請求項６記載の発明）に係るルアーでは、例えば湖底まで沈下したルアーが進行方向に操作された際、前記第１乃至第３の水受け部に流入した水の抵抗により、前記第１乃至第２の弾性体が下方に湾曲され、該ルアーの進行が止まると、前記第１乃至第２の弾性体の弾性力により、上方に復帰する。該ルアーの操作を繰り返すと、該ルアーは上記第１乃至第２の弾性体が折曲と復元を繰り返しながら水中を移動するので、魚の餌である小動物に極めて類似した動きを行い、水面下の魚を刺激し、魚の食性をも刺激する。
【００１７】
【発明の実施の形態】
以下、本発明の各実施の形態に係るルアーについて図面を参照しながら詳細に説明する。先ず第１の実施の形態に係るルアー１について説明する。このルアー１は、図２に示すように、左右対象の形状とされ、図１に示すように、略紡錘型となされた胴体２と、第１の脚部３と、第２の脚部４と、第１の釣り針５と、第２の釣り針６とから構成されている。上記胴体２は、本実施の形態においては木により略蒲鉾状に成形された上部半体２ａと下部半体２ｂと、この上部半体２ａと下部半体２ｂとの中心に形成された連結部材２ｃとから構成され、この連結部材２ｃの左右両側には、上記上部半体２ａの下面と上記下部半体２ｂの上面とにより形成された一方及び他方の溝部２ｄ，２ｅが形成されている。なお、上記胴体２の下面には、該ルアー１を水面に投じた時、図２に示すように、この胴体２の上面よりもやや下方の位置に水面が位置し、後述する第１及び第２の脚部３，４が水面よりもやや下方に位置するよう、このルアーの浮力を調整するための図示しない重りが取り付けられている。また、上記胴体２の後端には、上記第１及び第２の脚部３，４を構成する、長方形状のゴム板からなる弾性体７が、図３に示すように、該弾性体７の中央部において、一端が図３に示す一方のネジ９により固定され、他端が他方のネジ１０により固定された係止金具８により取り付けられている。そしてこの弾性体７の一端側には、図２に示すように、進行方向と直交する方向に水受け面が形成されている一方の水受け部１１が固定され、上記弾性体７の他端側には進行方向と直交する方向に水受け面が形成されている他方の水受け部１２が固定されている。これら一方及び他方の水受け部１１，１２は、樹脂で成形された円筒を該ルアー１の進行方向側の周面が一端から他端にかけて切除され、該ルアー１の進行方向側に凹面が形成された樋のような形状とされている。そして上記一方の水受け部１１の先端には、上記胴体２が進行方向に操作された際上記一方の水受け部１１内に流入した水が当接する一方の当接部１１ａが形成され、上記他方の水受け部１２の先端には、上記胴体２が進行方向に操作された際上記他方の水受け部１２内に流入した水が当接する他方の当接部１２ａが形成されている。これら一方及び他方の当接部１１ａ，１２ａは円形状とされ、上記一方及び他方の水受け部１１，１２の軸方向に対して直角に形成されている。なお上記一方及び他方の当接部１１ａ，１２ａの基端には図示しない挿通孔が形成されている。また、上記弾性体７の一端には、図２に示すように、布製の接続部１３が取り付けられ、この接続部１３は上記一方の当接部１１ａに形成された図示しない挿通孔に挿通され、先端に細長い板状の木片１４が、該接続部１３を介して折曲自在に取り付けられ、さらにこの木片１４の先端には、細長い板状の木片１６が、布製の接続部１５を介して折曲自在に取り付けられている。また、上記弾性体７の他端には、図２に示すように、布製の接続部１７が取り付けられ、この接続部１７は上記他方の当接部１２ａに形成された図示しない挿通孔に挿通され、先端に細長い板状の木片１８が、該接続部１７を介して折曲自在に取り付けられ、さらにこの木片１８には、細長い板状の木片２０が、布製の接続部１９を介して折曲自在に取り付けられている。そして上記胴体２の前端には、釣り糸を結びつけるため、先端がリング状とされた第１の止め具２１が固定されてなり、上記胴体２の下面の中途部には、先端がリング状とされた第２の止め具２２により、第１の釣り針５が取り付けられてなり、また、先端がリング状とされた第３の止め具２３により、第２の釣り針６が取り付けられてなる。
【００１８】
以下、簡単にこのルアー１の使用方法について説明する。先ず、前記ルアー１の先端に取り付けられた前記第１の止め具２１に、図示しない釣り竿に取り付けられた図示しない釣り糸を結び付け、該ルアー１を魚が潜んでいると思われる図示しない川、湖或いは海の水面に投じる。釣り竿、あるいは釣り竿とリール（図示しない）の両方を手で操作することにより、水面で該ルアー１を移動させる。釣り竿の操作を行わない状態では、該ルアー１は、図２に示すように、前記胴体２は一方及び他方の溝部２ｄ，２ｅより上の部分を水面上に露出した状態にあり、残りの部分は水面下に位置した状態にある。この時、前記一方及び他方の脚部３，４は水面下にあり、前記弾性体７には外力が加わっておらず、該ルアー１の進行方向に対して略直角となり、直線状となっている。そして、この状態から釣り竿を引くと、前記胴体２が前進し、前記一方及び他方の水受け部１１及び１２内に流入した水の抵抗により、図４に示すように、前記弾性体７が前記係止金具８を基点として湾曲される。ここで前記一方及び他方の水受け部１１及び１２に流入した水は、該一方及び他方の水受け部１１及び１２のそれぞれの先端に形成された前記一方及び他方の当接部１１ａ及び１２ａに当接するため、該一方及び他方の水受け部１１及び１２に流入した水の抵抗が維持され、前記弾性体７は、図４に示すように、中心においてＵ字型に湾曲され、前記一方の水受け部１１から前記木片１４，１５に至るまで直線状に伸展し、同時に、前記他方の水受け部１２から前記木片１８，２０に至るまで直線状に伸展する。即ち、前記脚部３と、前記脚部４とは略平行となる。一方、釣り竿を引く操作を止めると、水の抵抗により前記胴体２の前進が止まる。すると前記弾性体７の弾性力により、前記一方及び他方の脚部３，４は、図１に示すように、元の位置に復帰し、前記木片１４，１８は前記一方及び他方の水受け部１１及び１２に引き寄せられ、また、前記木片１６，２０は前記木片１４，１８に引き寄せられる。こうした釣り竿の操作を繰り返すことにより、該ルアー１は水面を泳ぐ蛙に極めて酷似した動きをするので、水中の魚を刺激するとともに食性をも刺激する。なお、図示しない魚が、該ルアー１を摂食すると、前記胴体２の下面に取り付けられた前記第１又は第２の釣り針５或いは６が魚の口中に突き刺さり、釣り糸を手繰り寄せることにより魚を釣り上げることができる。
【００１９】
次に第２の実施の形態に係るルアー３０を説明する。このルアー３０は、図６に示すように、左右対象の形状とされ、図５に示すように、木からなる略紡錘型の形状を有する胴体３１と、第１の脚部３２と、第２の脚部３３と、第１の釣り針３４と、第２の釣り針３５と、から構成されている。上記胴体３１の上面には、該ルアー３０が進行する際に水が流通する溝部３１ａを備えている。この溝部３１ａは、該ルアー３０の進行方向に形成され、図６に示すように、断面が略逆凸字型とされている。また、上記胴体３１の下面には、該ルアー３０を水面に投じた時の浮力を調整するための図示しない重りが取り付けられている。上記胴体３１の後端には、上記第１及び第２の脚部３２，３３を構成する長方形状のゴム板からなる弾性体３６が、該弾性体３６の中央部において、一端が図５に示す一方のネジ３８により固定され、他端が図示しない他方のネジにより固定された係止金具３７により取り付けられている。そしてこの弾性体３６の一端側には、図５に示すように、進行方向と直交する方向に水受け面が形成されている一方の水受け部３９が固定され、上記弾性体３６の他端側には進行方向と直交する方向に水受け面が形成されている他方の水受け部４０が固定されている。これら一方及び他方の水受け部３９，４０は、樹脂で成形された円筒の該ルアー３０の進行方向側の周面が一端から他端にかけて切除され、該ルアー３０の進行方向側に凹面が形成された樋のような形状とされている。上記一方の水受け部３９の先端には、上記胴体３１が進行方向に操作された際上記一方の水受け部３９内に流入した水が当接する一方の当接部３９ａが形成され、上記他方の水受け部４０の先端には、上記胴体３１が進行方向に操作された際上記他方の水受け部４０内に流入した水が当接する他方の当接部４０ａが形成されている。これら一方及び他方の当接部３９ａ，４０ａは円形状とされ、上記一方及び他方の水受け部３９，４０の軸方向に対して直角に形成され、上記一方及び他方の水受け部３９，４０に流入した水が当接し、水の抵抗が維持されるようになっている。上記弾性体３６の一端には、図６に示すように、布製の接続部４１が取り付けられ、この接続部４１は上記当接部３９ａに形成された図示しない挿通孔に挿通され、先端に細長い棒状の木片４２及び４３が折曲自在に取り付けられている。上記木片４２には、細長い棒状の木片４５が、布製の接続部４４を介して折曲自在に取り付けられ、また、上記木片４３には、細長い棒状の木片４７が、布製の接続部４６を介して折曲自在に取り付けられている。また、上記弾性体３６の他端には、図６に示すように、布製の接続部４８が取り付けられ、この接続部４８は上記当接部４０ａに形成された図示しない挿通孔に挿通され、先端に細長い棒状の木片４９及び５０が折曲自在に取り付けられている。上記木片４９には、細長い棒状の木片５２が、布製の接続部５１を介して折曲自在に取り付けられ、また、該木片５０には、細長い棒状の木片５４が、布製の接続部５３を介して折曲自在に取り付けられている。そして上記胴体３１の前端には、釣り糸を結びつけるための先端がリング状とされた第１の止め具５５が固定されてなり、上記胴体３１の下面の中途部には、先端がリング状とされた第２の止め具５６により、第１の釣り針３４が取り付けられてなり、また、先端がリング状とされた第３の止め具５７により、第２の釣り針３５が取り付けられている。
【００２０】
次に、第３の実施の形態に係るルアー６０を説明する。このルアー６０は、図７に示すように、胴体６１と、第１の脚部６２と、第２の脚部６３と、第１の釣り針６４と第２の釣り針６５（図８参照）と、から構成されている。上記胴体６１は、アルミニウムにより板状に成形され、中央には長方形状の開口が穿設されてなる平板６６と、この平板６６の一側側上面に接着されてなる第１の胴部６１ａと、上記平板６６の一側側下面に接着されてなる図示しない第２の胴部と、上記平板６６の他側側上面に接着されてなる第３の胴部６１ｂと、上記平板６６の他側側下面に接着されてなる第４の胴部６１ｃとから構成されている。上記第１乃至第４の胴部６１ａ，６１ｂ，６１ｃは何れも木により同一形状に成形されてなるものであり、第１の胴部６１ａと第３の胴部６１ｂとの間及び第２の胴部と第４の胴部６１ｃとの間は、上記平板６６に形成された開口の幅を同一の間隔をもって対峙されている。そして上記第２の胴部と第４の胴部６１ｃとの下面には、このルアー６０全体の浮力を調整するための図示しない重りが固定されている。そして上記平板６１の後端には、木で成形された直方体状の脚部支持部材６９が取り付けられてなり、この脚部支持部材６９の後端には、上記第１及び第２の脚部６２，６３を構成する、長方形状のゴム板からなる細長い弾性体７０が、該弾性体７０の中央部において、一端が図８に示す一方のネジ７２により固定され、他端が他方のネジ７３により固定された係止金具７１により取り付けられている。そしてこの弾性体７０の一端側には進行方向と直交する方向に水受け面が形成されている一方の水受け部７４が固定され、上記弾性体７０の他端側には進行方向と直交する方向に水受け面が形成されている他方の水受け部７５が固定されてなる。これら一方及び他方の水受け部７４，７５は、樹脂で成形された円筒を該ルアー６０の進行方向側の周面が一端から他端にかけて切除され、該ルアー６０の進行方向側に凹面が形成された樋のような形状とされている。前記一方及び他方の水受け部７４及び７５の先端には、該ルアー６０が進行方向に操作された際前記一方及び他方の水受け部７４及び７５内に流入した水が当接する一方及び他方の当接部７４ａ及び７５ａが形成されてなる。これら一方及び他方の当接部７４ａ，７５ａは円形状とされ、上記一方及び他方の水受け部７４，７５の軸方向に対して直角に形成され、上記一方及び他方の水受け部７４，７５内に流入した水が当接し、水の抵抗が維持されるようになっている。そして前記一方の水受け部７４の内側には、図８に示すように、格子状の一方の箱体７６が固定され、前記他方の水受け部７５の内側には、格子状の他方の箱体７７が固定されている。これら一方及び他方の箱体７６，７７には、図８に示すように、複数の仕切り板（符号は省略する）が形成されており、これらの仕切り板は、上記一方及び他方の当接部７４ａ，７５ａと同様に、水の抵抗が維持されるよう作用する。また、上記当接部７４ａには、細長い棒状の木片７９，８０，８１が、布製の接続部７８を介して折曲自在に取り付けられている。また、上記木片７９には、細長い棒状の木片８３が、布製の接続部８２を介して折曲自在に取り付けられ、さらに上記木片８０には、細長い棒状の木片８５が、布製の接続部８４を介して折曲自在に取り付けられ、上記木片８１には、細長い棒状の木片８７が、布製の接続部８６を介して折曲自在に取り付けられている。上記当接部７５ａには、細長い棒状の木片８９，９０，９１が、布製の接続部８８を介して折曲自在に取り付けられている。上記木片８９には、細長い棒状の木片９３が、布製の接続部９２を介して折曲自在に取り付けられ、また、上記木片９０には、細長い棒状の木片９５が、布製の接続部９４を介して折曲自在に取り付けられ、上記木片９１には、細長い棒状の木片９７が、布製の接続部９６を介して折曲自在に取り付けられている。上記平板６６の先端には、図示しない釣り糸を結びつけるための貫通穴６６ａが形成されてなり、上記第２及び第４の胴部６１ｃの下面中途部には、図８に示すように、それぞれ先端がリング状とされた第１の止め具９８により、第１の釣り針６４が取り付けられ、また、先端がリング状とされた第２の止め具９９により、釣り針６５が取り付けられている。
【００２１】
次に、第４の実施の形態に係るルアー１００を説明する。このルアー１００は、図９に示すように、胴体１０１と、図１０に示すように、第１の脚部１０２と、第２の脚部１０３と、第１の釣り針１０４と、第２の釣り針１０５と、から構成されている。上記胴体１０１は、アルミニウムで成形されてなり、中央部に略台形状の開口が穿設されてなる略卵型形状の平板１０６と、図１０に示すように、この平板１０６の右側であって中途部から上側に接着された第１の胴部１０７と、該平板１０６の右側であって中途部から下側に、上記胴部１０７とは間隔をあけて接着された第２の胴部１０８と、該平板１０６の左側であって中途部から上側に接着された第３の胴部１０９と、該平板１０６の左側であって中途部から下側に、上記第３の胴部１０９とは間隔をあけて接着された第４の胴部１１０と、を備えたものである。なお、上記第１乃至第４の胴部はそれぞれ木で同一形状に成形されている。上記第２及び第４の胴部１０８，１１０のそれぞれの下面には、該ルアー１００を水面に投じた時の浮力を調整するための図示しない重りが取り付けられている。上記平板１０６の後端には、前記第１の実施の形態に係るルアー１と同様の構成の第１の脚部１０２と、第２の脚部１０３と、が取り付けられている。上記平板１０６の先端には、図９に示すように、図示しない釣り糸を結びつけるための第１の貫通穴１０６ａが形成されている。また、上記平板１０６の下部には、図９に示すように、第２の貫通穴１０６ｂと、第３の貫通穴１０６ｃと、が形成されている。上記貫通穴１０６ｂには、上記第１の釣り針１０４が取り付けられてなり、上記貫通穴１０６ｃには、上記第２の釣り針１０５が取り付けられてなる。
【００２２】
次に、第５の実施の形態に係るルアー２００を説明する。このルアー２００は、図１１に示すように、左右対象の形状とされ、木で成形され、略紡錘型となされた胴体２０１と、第１乃至第４の脚部２０２，２０３，２０４，２０５と、第１の釣り針２０６と、第２の釣り針２０７と、から構成されている。上記胴体２０１の後端には、上記第１及び第２の脚部２０２，２０３を構成する、長方形状のゴム板からなる第１の弾性体２０８と、この第１の弾性体２０８の下側に位置し、上記第３及び第４の脚部２０４，２０５を構成する、長方形状のゴム板からなる第２の弾性体２０９とが、該第１及び第２の弾性体２０８，２０９のそれぞれの中央部において、一端が図１１に示す一方のネジ２１０により固定され、他端が図示しない他方のネジにより固定された図示しない係止金具により取り付けられている。そして上記第１の弾性体２０８の一端側には進行方向に対して開口が形成されている格子状の第１の箱体２１１が固定され、上記第１の弾性体２０８の他端側には進行方向に対して開口が形成されている格子状の第２の箱体２１２が固定されている。上記第２の弾性体２０９の一端側には進行方向に対して開口が形成されている格子状の第３の箱体２１３が固定され、上記弾性体２０９の他端側には進行方向に対して開口が形成されている格子状の第４の箱体２１４が固定されている。上記第１乃至第４の箱体２１１，２１２，２１３，２１４の内側には、複数の仕切り板（符号は省略する。）が形成され、該ルアー２００が進行方向に操作された際、上記第１乃至第４の箱体２１１，２１２，２１３，２１４内に流入した水が当接し、水の抵抗が維持されるようになっている。上記第１の箱体２１１には接続糸２１５及び２１６が取り付けられている。上記接続糸２１５の基端側には、樹脂により成形された管体２１７が取り付けられ、上記接続糸２１５の他端側には、樹脂により成形された管体２１８が取り付けられている。上記接続糸２１６の基端側には、樹脂により成形された管体２１９が取り付けられ、上記接続糸２１６の他端側には、樹脂により成形された管体２２０が取り付けられている。上記第２の箱体２１２には接続糸２２１及び２２２が取り付けられている。上記接続糸２２１の基端側には、樹脂により成形された管体２２３が取り付けられ、上記接続糸２２１の他端側には、樹脂により成形された管体２２４が取り付けられている。上記接続糸２２２の基端側には、樹脂により成形された管体２２５が取り付けられ、上記接続糸２２２の他端側には、樹脂により成形された管体２２６が取り付けられている。上記第３の箱体２１３には接続糸２２７及び２２８が取り付けられている。上記接続糸２２７の基端側には、樹脂により成形された管体２２９が取り付けられ、上記接続糸２２７の他端側には、樹脂により成形された管体２３０が取り付けられている。上記接続糸２２８の基端側には、樹脂により成形された管体２３１が取り付けられ、上記接続糸２２８の他端側には、樹脂により成形された管体２３２が取り付けられている。上記第４の箱体２１４には接続糸２３３及び２３４が取り付けられている。上記接続糸２３３の基端側には、樹脂により成形された管体２３５が取り付けられ、上記接続糸２３３の他端側には、樹脂により成形された管体２３６が取り付けられている。上記接続糸２３４の基端側には、樹脂により成形された管体２３７が取り付けられ、上記接続糸２３４の他端側には、樹脂により成形された管体２３８が取り付けられている。前記胴体２０１の先端には、図示しない釣り糸を結びつけるための、先端がリング状とされた第１の止め具２３９が固定されている。また、前記胴体２０１の下面には、先端がリング状とされた第２の止め具２４０により、第１の釣り針２０６と、先端がリング状とされた第３の止め具２４１により、第２の釣り針２０７と、が取り付けられている。
【００２３】
なお、本発明を構成する脚部は、上述した各実施の形態に示されたものばかりでなく、図１２に示すものであってもよい。この脚部３００は、図１３に示すように、長方形状のゴム板からなる弾性体３０１と、この弾性体３０１の一端側に、進行方向と直交する方向に水受け面が形成されている一方の水受け部３０２と、上記弾性体３０１の他端側に、進行方向と直交する方向に水受け面が形成されている他方の水受け部３０３と、から構成されている。上記弾性体３０１の一方の先端には、細長い板状の木片３０５が、布製の接続部３０４を介して折曲自在に取り付けられ、この木片３０５には、細長い板状の木片３０７が、布製の接続部３０６を介して折曲自在に取り付けられている。上記木片３０５の一側には両端がＶ字型にカットされたパイプ状の水抜け部材３０８が取り付けられ、上記木片３０７の一側には両端がＶ字型にカットされたパイプ状の水抜け部材３０９が取り付けられている。上記弾性体３０１の他方の先端には、細長い板状の木片３１１が、布製の接続部３１０を介して折曲自在に取り付けられ、この木片３１１には、細長い板状の木片３１３が、布製の接続部３１２を介して折曲自在に取り付けられている。上記木片３１１の一側には両端がＶ字型にカットされたパイプ状の水抜け部材３１４が取り付けられ、上記木片３１３の一側には両端がＶ字型にカットされたパイプ状の水抜け部材３１５が取り付けられている。
【００２４】
また、本発明を構成する胴体は、上述した各実施の形態に示されたものばかりでなく、図１３に示すものであってもよい。胴体４００は、図１４に示すように、樹脂で成形された楕円形状の第１乃至第５の平板４０１，４０２，４０３，４０４，４０５を、この平板の長辺方向に角柱状の第１乃至第４の角材４０６，４０７，４０８，４０９を介して積層したものであり、左右両側にそれぞれ４ヵ所の空間を有するものである。上記第２の角材４０７の一端には図示しない釣り糸を結び付けるための止め具が固定されてなり、上記第５の平板４０５の下面には、図示しない止め具により、第１の釣り針４１１と、第２の釣り針４１２が取り付けられている。本実施の形態では５枚の平板を４本の角材を介して接着したものを示したが、該平板の数は５枚に限らず、４枚以下であっっても６枚以上であってもよい。また、ルアーの胴体の他の形態としては、木で成形された胴体の左右両側に、両端が開放された図示しないパイプ状の水抜け部材を備えたものであってもよい。
【００２５】
次に、第６の実施の形態に係るルアー５００を説明する。このルアー５００は、図１４に示すように、木で成形された略紡錘形状の胴体５０１と、第１の脚部５０２と、第２の脚部５０３と、釣り針５０４と、から構成されている。上記胴体５０１の先端側中途部には、挿通穴５０１ａ（図１５参照）が形成されており、この挿通穴５０１ａに長方形状のゴム板で成形された弾性体５０５が肉厚を上下両端に位置して潜通された状態で固定されたものである。この弾性体５０５の一端側には一方の水受け部５０６が固定され、上記弾性体５０５の他端側には他方の水受け部５０７が固定されている。なお、上記一方及び他方の水受け部５０６，５０７は、前記第１の実施の形態に係るルアー１を構成する一方及び他方の水受け部１１，１２と同様の形状とされている。また、上記水受け部５０６の上側には第１の羽板５０８が接着され、上記水受け部５０７の上側には第２の羽板５０９が接着されている。上記胴体５０１の前端には、図示しない釣り糸を結び付けるための第１の止め具５１０が固定されてなり、上記胴体５０１の下面中途部には第２の止め具５１１により、釣り針５０４が取り付けられている。
【００２６】
次に、第７の実施の形態に係るルアー６００を説明する。このルアー６００は、図１６に示すように、木で成形されてなるとともに両端が半球状に加工された円柱形状の胴体６０１と、第１の脚部６０２と、第２の脚部６０３と、第１の羽板６０４と、第２の羽板６０５と、釣り針６０６と、から構成されている。上記胴体６０１の前端側中途部の左右両側には、Ｌ字状に成形された第１及び第２の脚部支持部材６０７、６０８が取り付けられている。そして上記第１の脚部支持部材６０７には、上記第１の脚部６０２を構成する、長方形状のゴム板からなる第１の弾性体６０９が、上記羽板６０４から下垂する方向に取り付けられてなり、この第１の弾性体６０９には、進行方向と直交する方向に水受け面が形成されている一方の水受け部６１０が取り付けられている。上記第２の脚部支持部材６０８には、上記第２の脚部６０３を構成する、長方形状のゴム板からなる第２の弾性体６１１が、上記羽板６０５から下垂する方向に取り付けられてなり、この第２の弾性体６１１には、進行方向と直交する方向に水受け面が形成されている他方の水受け部６１２が取り付けられている。なお、上記一方及び他方の水受け部６１０，６１２の形状は、前記第１の実施の形態に係るルアー１を構成する一方及び他方の水受け部１１，１２と同様の形状とされている。また、上記一方の水受け部６１０には第１の羽板６０４が取り付けられてなり、上記他方の水受け部６１２には第２の羽板６０５が取り付けられてなる。上記胴体６０１の前端には、図示しない釣り糸を結びつけるための止め具６１３が固定されてなり、上記胴体６０１の下面中途部には、図示しない止め具により釣り針６０６が取り付けられてなる。そして上記ルアー６００が進行方向に操作されると、前記一方及び他方の水受け部６１０，６１２内に流入した水の抵抗により、図１７中の二点鎖線で示す位置まで前記一方及び他方の水受け部６１０，６１２と前記一方及び他方の羽部６０４，６０５が移動する。該ルアー６００の進行が止まると、前記第１及び第２の弾性体６０９，６１１の弾性力により、前記一方及び他方の水受け部６１０，６１２と前記一方及び他方の羽部６０４，６０５は、図１７中の実線で示す位置まで復帰し、この時前記一方及び他方の羽部６０４，６０５が水面Ｗを打ち、音や泡を生じる。該ルアー６００の操作を繰り返すと、該ルアー６００は水面を音や泡を生じながら移動し、水中の魚を刺激して誘いだすことができる。
【００２７】
次に、第８の実施の形態に係るルアー７００を説明する。このルアー７００は、図１８に示すように、木で成形されてなるとともに両端が半球状に加工された円柱形状の胴体７０１と、第１の脚部７０２と、第２の脚部７０３と、第１の羽板７０４と、第２の羽板７０５と、釣り針７０６と、から構成されている。上記胴体７０１の前端側中途部の左右両側には、Ｌ字状に成形された第１及び第２の脚部支持部材７０７、７０８が取り付けられている。そして上記第１の脚部支持部材７０７には、上記第１の脚部７０２を構成する、長方形状のゴム板からなる第１の弾性体７０９が内側に向かって取り付けられてなり、この弾性体７０９には、進行方向と直交する方向に水受け面が形成されている一方の水受け部７１０が取り付けられている。上記第２の脚部支持部材７０８には、上記第２の脚部７０３を構成する、長方形状のゴム板からなる第２の弾性体７１１が内側に向かって取り付けられてなり、この弾性体７１１には、進行方向と直交する方向に水受け面が形成されている他方の水受け部７１２が取り付けられている。なお、上記一方及び他方の水受け部７１０，７１２の形状は、前記第１の実施の形態に係るルアー１を構成する一方及び他方の水受け部１１，１２と同様の形状とされている。また、上記一方の水受け部７１０の先端側（胴体７０１側）には第１の羽板７０４が取り付けられてなり、上記他方の水受け部７１２の先端側（胴体７０１側）には第２の羽板７０５が取り付けられてなる。上記胴体７０１の前端には、図示しない釣り糸を結びつけるための止め具７１３が固定されてなり、上記胴体７０１の下面中途部には、図示しない止め具により釣り針７０６が取り付けられてなる。そして上記ルアー７００が進行方向に操作されると、前記一方及び他方の水受け部７１０，７１２内に流入した水の抵抗により、図１９中の二点鎖線で示す位置まで前記一方及び他方の水受け部７１０，７１２と前記一方及び他方の羽部７０４，７０５が左右両側に展開する。該ルアー７００の進行が止まると、前記第１及び第２の弾性体７０９，７１１の弾力により、前記一方及び他方の水受け部７１０，７１２と前記一方及び他方の羽部７０４，７０５は、図１９中の実線で示す位置まで復帰し、この時前記一方及び他方の羽部７０４，７０５が水面をかき分け、音や波を生じる。該ルアー７００の操作を繰り返すと、該ルアー７００は水面を音や波を生じながら移動し、水中の魚を刺激して誘いだすことができる。
【００２８】
次に、第９の実施の形態に係るルアー８００を説明する。このルアー８００は、図２１に示すように、胴体８０１と、第１の羽板８０２と、第２の羽板８０３と、釣り針８０４と、から構成されている。上記胴体８０１は、木で成形された円柱形状の腹部８０５と、この腹部８０５の上端側に冠着され、透明樹脂で成形された中空状の頭部８０６とからなる。上記胴体８０１には、上記頭部８０６の両側面中途部に形成された図示しない貫通穴に挿通されて上記腹部８０５に基端側が固定された一方及び他方の羽板支持部材８０７，８０８を備えてなる。上記一方の羽板支持部材８０７には、図２１に示すように、中空状の一方の筒部材８０９が回動可能に挿通され、また、この筒部材８０９が左右にずれるのを防止するための第１及び第２のビーズ状の変位防止部材８１０，８１１が取り付けられている。上記一方の筒部材８０９には、２ヵ所のスリット８０２ａ，８０２ｂが形成された第１の羽板８０２が取り付けられている。この羽板８０２の基端側は側面視においてＬ字型に延長されて水受け部支持部８０２ｃを形成し、この水受け部支持部８０２ｃには、側面視において三角形状であって正面には格子状の開口が形成されてなる一方の水受け部８１２が設けられている。上記他方の羽板支持部材８０８には中空状の図示しない他方の筒部材が回動可能に挿通され、また、この筒部材が左右にずれるのを防止するための第３及び第４のビーズ状の変位防止部材８１３，８１４が取り付けられている。上記他方の筒部材には、２ヵ所のスリット８０３ａ，８０３ｂが形成された他方の羽板８０３が取り付けられている。この羽板８０３の基端側は側面視においてＬ字型に延長されて図示しない水受け部支持部を形成し、この水受け部支持部には、側面視において三角形状であって正面には格子状の開口が形成されてなる他方の水受け部８１５を備えてなる。上記一方及び他方の水受け部８１２，８１５の内部には、複数の仕切り板（符号は省略する。）が形成されており、上記一方及び他方の水受け部８１２，８１５内に流入した水が当接し、水の抵抗が維持されるようになっている。上記胴体８０１の前端には、上記頭部８０６の前端面に形成された図示しない貫通穴に挿通されて上記腹部８０５の前端に基端側が固定された止め具８１６が固定されている。この止め具８１６は図示しない釣り糸を結び付けるためのものである。また、上記腹部８０５の下面中途部には止め具８１７により、釣り針８０４が取り付けられている。該ルアー８００が進行方向に操作されると、上記一方及び他方の水受け部８１２，８１５内に流入した水の抵抗により、上記一方及び他方の羽板８０２，８０３が上方向に撥ね上げられる。該ルアー８００の進行が止まると、上記一方の筒部材８０９と、他方の筒部材（図示しない。）の回転により、上記一方及び他方の羽板８０２，８０３が水面に打ち下ろされ、音や泡を生じる。
【００２９】
次に、第１０の実施の形態に係るルアー９００を説明する。このルアー９００は、図２２に示すように、木で成形されてなり、両端が半球状に加工された円柱形状の胴体９０１と、第１乃至第４の脚部９０２、９０３，９０４，９０５と、第１乃至第４の羽板９０６，９０７，９０８，９０９とから構成されている。上記胴体９０１の前端側中途部には、第１及び第２の脚部支持部材９１０，９１１が固定されてなり、上記胴体９０１の後端側中途部には、第３及び第４の脚部支持部材９１２，９１３が固定されてなる。上記第１の脚部支持部材９１０には、上記第１の脚部９０２を構成する長方形状のゴム板からなる第１の弾性体９１４が取り付けられてなり、この第１の弾性体９１４には進行方向と直交する方向に水受け面が形成されている第１の水受け部９１５が取り付けられてなる。上記第２の脚部支持部材９１１には、上記第２の脚部９０３を構成する長方形状のゴム板からなる第２の弾性体９１６が取り付けられてなり、この第２の弾性体９１６には進行方向と直交する方向に水受け面が形成されている第２の水受け部９１７が取り付けられてなる。上記第１及び第２の水受け部９１５，９１７は、前記第８の実施の形態に係るルアー７００を構成する一方及び他方の水受け部７１０，７１２と同様の形状とされている。また、上記第１の水受け部９１５の背面には、上記第１の羽板９０６が取り付けられてなり、上記第２の水受け部９１７の背面には、上記第２の羽板９０７が取り付けられてなる。上記第３の脚部支持部材９１２には、上記第３の脚部９０４を構成する長方形状のゴム板からなる第３の弾性体９１８が取り付けられてなり、この第３の弾性体９１８には進行方向に対して開口が形成されている第３の水受け部９１９が取り付けられてなる。上記第４の脚部支持部材９１３には、上記第４の脚部９０４を構成する長方形状のゴム板からなる第２の弾性体９２０が取り付けられてなり、この第４の弾性体９２０には進行方向に対して開口が形成されている第４の水受け部９２１が取り付けられてなる。上記第３及び第４の水受け部９１９，９２１は、進行方向側が開放された円筒形状であって、上記胴体９０１側の周面が前方に延長されている。上記第３の水受け部９１９の背面には、上記第３の羽板９０８が取り付けられてなり、上記第４の水受け部９２１の背面には、上記第４の羽板が取り付けられてなる。また、上記第１の水受け部９１５の上面には第１の触覚部支持部材９２２が取り付けられてなり、この第１の触覚部支持部材９２２の先端には、第１の触覚部９２３が取り付けられてなる。また、上記第２の水受け部９１７の上面には第２の触覚部支持部材９２４が取り付けられてなり、この触覚部支持部材９２４先端には、第２の触覚部９２５が取り付けられてなる。該ルアー９００は前記第８の実施の形態に係るルアー７００の変形例であるが、可動部分をより多く備えているので、水面でより複雑な音、しぶき、泡を生じながら移動し、より遠くに潜む魚を刺激して誘いだすことができる。
【００３０】
次に、第１１の実施の形態に係るルアー１０００を説明する。ルアー１０００は、図２３に示すように、金属で成形された弾性体支持部材１００１と、長方形状のゴム板からなる第１の弾性体１００２と、第２の弾性体１００３と、第１の水受け部１００４と、第２の水受け部１００５と、から構成されている。上記第１及び第２の弾性体１００２，１００３は、それぞれの基端側で上記弾性体支持部材１００１を挟持するように上記弾性体支持部材１００１に取り付けられてなるとともに、それぞれが外側に向かって湾曲された状態とされている。上記第１の弾性体１００２の他端側には、長方形状の木で成形された第１の水受け部支持部材１００６が取り付けられてなり、この第１の水受け部支持部材１００６の一端側には第１の水受け部１００４が取り付けられている。上記第２の弾性体１００３の他端側には、長方形状の木で成形された第２の水受け部支持部材１００７が取り付けられてなり、この第２の水受け部支持部材１００７の一端側には第２の水受け部１００５が取り付けられている。上記第１の水受け部１００４の一側には、進行方向に対して第１の開口１００４ａが形成され、上記第１の水受け部１００４の他側には、上記第１の開口１００４ａより上記第１の水受け部１００４内に流入した水が流出する第２の開口１００４ｂが形成されている。上記第２の水受け部１００５の一側には、進行方向に対して第３の開口１００５ａが形成され、上記第２の水受け部１００５の他側には、上記第２の開口１００５ａより上記第１の水受け部１００５内に流入した水が流出する第２の開口１００５ｂが形成されている。該ルアー１０００を進行方向に操作すると、上記第１及び第３の開口１００４ａ，１００５ａから上記第１及び第２の水受け部１００４，１００５内に水が流入し、この水が上記第２及び第４の開口１００４ｂ，１００５ｂから流出する。この時の水流の作用により、上記第１及び第２の水受け部１００４，１００５は、図２４中の実線で示すように、左右両側に展開する。該ルアー１０００の進行が止まると、上記第１及び第２の弾性体１００２，１００３の弾性力により、上記第１及び第２の水受け部１００４，１００５は、図２３中の二点鎖線で示すように、元の位置に復帰する。
【００３１】
次に、第１２の実施の形態に係るルアー１１００を説明する。このルアー１１００は、図２５に示すように、胴体１１０１と、第１の脚部１１０２と、第２の脚部１１０３と、第１の釣り針１１０４と、第２の釣り針１１０５と、から構成されている。上記胴体１１０１は、金属で成形された弾性体支持部材１１０６と、この弾性体支持部材１１０６を両側からそれぞれの基端側で挟持するように取り付けられており、長方形状のゴム板からなる第１及び第２の弾性体１１０７，１１０８と、上記第１の弾性体１１０７の外側に取り付けられた第１の胴部１１０９と、上記第２の弾性体１１０８の外側に取り付けられた第２の胴部１１１０と、から構成されている。なお、上記第１及び第２の弾性体１１０７，１１０８は、それぞれが外側に向かって湾曲された状態で取り付けられている。上記第１の胴部１１０９の外側面には、図２６に示すように、樹脂で成形された第１の水抜け部材１１１１が取り付けられてなり、上記第２の胴部１１１０の外側面には、図２６に示すように、樹脂で成形された第２の水抜け部材１１１２が取り付けられてなる。これら第１及び第２の水抜け部材１１１１，１１１２は、図２５に示すように、外側に向けて４ヵ所の仕切り板（符号は省略する。）が形成されている。また、上記第１の胴部１１０９の後端には、上記第１の脚部１１０２を構成する第３の弾性体１１１３が、図２６に示すように、該第３の弾性体１１１３の基端側において、一端が一方のネジ１１１５により固定され、他端が図示しない他方のネジにより固定された係止金具１１１４により取り付けられている。また、上記第２の胴部１１１０の後端には、上記第２の脚部１１０３を構成する第４の弾性体１１１６が、図２６に示すように、該第４の弾性体１１１６の基端側において、一端が一方のネジ１１１８により固定され、他端が図示しない他方のネジにより固定された係止金具１１１７により取り付けられている。上記第３の弾性体１１１３の他端側には、第１の水受け部１１１９が取り付けられてなり、上記第４の弾性体１１１６の他端側には、第２の水受け部１１２０が取り付けられてなる。これら第１及び第２の水受け部１１１９，１１２０は、前記第１の実施の形態に係るルアー１を構成する一方及び他方の水受け部１１，１２と同様の形状とされている。上記第１の水受け部１１１９の先端には、基端側から先端にかけて２つに別れた第１の樹脂片１１２２が、布製の接続部１１２１を介して折曲自在に取り付けられてなり、上記第２の水受け部１１２０の先端には、基端側から先端にかけて２つに別れた第２の樹脂片１１２４が、布製の接続部１１２３を介して折曲自在に取り付けられてなる。上記弾性体支持部材１１０６の下部には、釣り針支持部材１１２５が取り付けられてなり、この釣り針支持部材１１２５の一端には、上記第１の釣り針１１０４が取り付けられてなり、上記釣り針支持部材１１２５の他端には、上記第２の釣り針１１０５が取り付けられてなる。該ルアー１１００が進行方向に操作されると、図２６中の実線で示すように、上記第１及び第２の胴部１１０９，１１１０と、上記第１及び第２の脚部１１０２，１１０３は該ルアー１１００の進行方向に対して平行に伸展し、該ルアーの進行が止まると、上記第３及び第４の弾性体１１１３，１１１６は、図２６中の二点鎖線で示すように、元の位置に復帰し、上記第１及び第２の樹脂片１１２２，１１２４の先端は、上記第１及び第２の水受け部１１１９，１１２０に接近する。また、上記第１及び第２の胴部１１０９，１１１０は後端が互いに離間する方向に展開する。
【００３２】
次に、第１３の実施の形態に係るルアー１２００を説明する。このルアー１２００は、図２７（ルアー１２００の底面図）に示すように、木で成形された胴体１２０１と、第１の脚部１２０２と、第２の脚部１２０３と、から構成されている。上記胴体１２０１は、図２７に示すように、左右対象の形状とされている。上記胴体１２０１の上面には、図２８に示すように、該ルアー１２００が進行する際に水が流通する溝部１２０１ａが該ルアー１２００の進行方向に形成され、上記胴体１２０１の下面には、該ルアー１２００の進行方向に脚部支持部材１２０１ｂが形成されている（図２７参照）。この脚部支持部材１２０１ｂの一側面には、上記第１の脚部１２０２を構成する長方形状のゴム板からなる第１の弾性体１２０４が取り付けられている。この第１の弾性体１２０４は外側に向かって湾曲された状態で取り付けられてなり、外側面には、長方形状の一方の木板１２０５が取り付けられている。この木板１２０５の外側面には、樹脂で成形された一方の水抜け部材１２０６が取り付けられている。この一方の水抜け部材１２０６の表面には、図２８に示すように、３ヵ所の仕切り板（符号は省略する。）が形成されている。上記一方の木板１２０５の先端には、該一方の木板１２０５の長さ方向と直角に長方形状のゴム板からなる第２の弾性体１２０７が取り付けられてなり、この第２の弾性体１２０７には、前記第１の実施の形態に係るルアー１を構成する一方及び他方の水受け部１１，１２と同様の形状とされた一方の水受け部１２０８が取り付けられている。この一方の水受け部１２０８の先端には、細長い棒状の木片１２１０，１２１１が、布製の接続部１２０９を介して折曲自在に取り付けられている。上記木片１２１０の先端には、細長い棒状の木片１２１３が、布製の接続部１２１２を介して折曲自在に取り付けられてなり、上記木片１２１１の先端には、細長い棒状の木片１２１５が、布製の接続部１２１４を介して折曲自在に取り付けられている。この脚部支持部材１２０１ｂの他側面には、上記第２の脚部１２０３を構成する長方形状のゴム板からなる第３の弾性体１２１６が取り付けられている。この第３の弾性体１２１６は外側に向かって湾曲された状態で取り付けられてなり、外側面には、長方形状の他方の木板１２１７が取り付けられている。この他方の木板１２１７の外側面には、樹脂で成形された他方の水抜け部材１２１８が取り付けられている。この他方の水抜け部材１２１８の表面には、図２８に示すように、３ヵ所の仕切り板（符号は省略する。）が形成されている。上記他方の木板１２１７の先端には、該他方の木板１２１７の長さ方向と直角に長方形状のゴム板からなる第４の弾性体１２１９が取り付けられてなり、この第４の弾性体１２１９には、前記第１の実施の形態に係るルアー１を構成する一方及び他方の水受け部１１，１２と同様の形状とされた他方の水受け部１２２０が取り付けられている。この他方の水受け部１２２０の先端には、細長い棒状の木片１２２２，１２２３が、布製の接続部１２２１を介して折曲自在に取り付けられている。上記木片１２２２の先端には、細長い棒状の木片１２２５が、布製の接続部１２２４を介して折曲自在に取り付けられてなり、上記木片１２２３の先端には、細長い棒状の木片１２２７が、布製の接続部１２２６を介して折曲自在に取り付けられている。該ルアー１２００が進行方向に操作されると、図２８中の実線で示すように、上記第１及び第２の脚部１２０２，１２０３は、該ルアー１２００の進行方向に対して平行に伸展し、該ルアー１２００の進行が止まると、上記第１及び第２の脚部１２０２，１２０３は、図２８中の二点鎖線で示すように、元の位置に復帰する。この時、上記一方及び他方の木板１２０５及び１２１７は、上記第１及び第３の弾性体１２０４，１２１６の弾性力に抗して、上記脚部支持部材１２０１ｂから離間する方向に移動し、上記第１及び第３の弾性体１２０４，１２１６の弾性力により、再び元の位置に復帰する。
【００３３】
次に、第１４の実施の形態に係るルアー１３００を説明する。ルアー１３００は、図２９に示すように、木で成形された胴体１３０１と、第１の羽板１３０２と、第２の羽板１３０３と、釣り針１３０４と、から構成されている。上記胴体１３０１の上面には、該ルアー１３００の浮力を調整するためのコルクにより成形された浮力調整部材１３０５が取り付けられている。上記胴体１３０１の先端側中途部の一側面には、図３１に示すように、長方形状のゴム板となされた一方の弾性体１３０６が、金属で成形され、基端が上記胴体１３０１の一側面に固定された一方の弾性体支持部材１３０７により取り付けられてなり、上記胴体１３０１の先端側中途部の他側面には長方形状のゴム板となされた他方の弾性体１３０８が、金属で成形され、基端が上記胴体１３０１の他側面に固定された他方の弾性体支持部材１３０９により取り付けられてなる。上記胴体１３０２の下面中途部には、図示しない止め具により、釣り針１３０４が取り付けられている（図２９参照）。上記一方の弾性体１３０６の一端には樹脂で成形された第１の羽板１３０２が、金属で成形された一方の羽板支持部材１３１０により取り付けられてなる。上記他方の弾性体１３０８の一端には樹脂で成形された第２の羽板１３０３が、金属で成形された他方の羽板支持部材１３１１により取り付けられてなる。上記一方及び他方の羽板１３０２，１３０３の先端は、図３０又は図３１に示すように、下方に円弧状に延長されて、該ルアー１３００の進行方向に対して碗状の凹面が形成されてなる一方及び他方の水受け部１３０２ａ，１３０３ａが形成されている。該ルアー１３００を水面に投じると、上記一方及び他方の水受け部１３０２ａ，１３０３ａに下方からかかる水圧により、上記一方及び他方の羽板１３０２，１３０３は、図３１中の実線で示すように、左右両側に展開し、その直後に上記一方及び他方の弾性体１３０６，１３０８の弾性力により、図３１中の二点鎖線で示す位置に復帰する。また、該ルアー１３００を進行方向に操作すると、上記一方及び他方の水受け部１３０２ａ，１３０３ａ内に流入した水の抵抗により、上記一方及び他方の羽板１３０２，１３０３は、図３１中の実線で示すように、左右両側に展開し、その直後に上記一方及び他方の弾性体１３０６，１３０８の弾性力により、図３１中の二点鎖線で示す位置に復帰する。該ルアー１３００を勢いよく操作すると、上記一方及び他方の羽板１３０２，１３０３が左右両側に展開する際に水面に泡が生じ、この泡が弾ける時にチャプチャプと音を生じる。この音が水中の魚を刺激して誘いだすために効果的に作用する。
【００３４】
次に、第１５の実施の形態に係るルアー１４００を説明する。このルアー１４００は、図３２に示すように、木で成形された胴体１４０１と、第１の脚部１４０２と、第２の脚部１４０３と、第３の脚部１４０４と、から構成されている。この胴体１４０１の前端側下面には、上記第１及び第２の脚部１４０２，１４０３を構成する長方形状のゴム板からなる第１の弾性体１４０５が、一端が図３２に示す第１のネジ１４０７により固定され、他端が第２のネジ１４０８により固定されてなる係止金具１４０６により、中央部で固定されている。上記胴体１４０１の後端には、図３３で示すように、上記第３の脚部１４０４を構成する長方形状のゴム板からなる第２の弾性体１４０９が、一端が図３２に示す第３のネジ１４１１により固定され、他端が図示しない第４のネジにより固定されてなる係止金具１４１０により、基端側で固定されている。上記第１の弾性体１４０５の一端には、上方に向かって水受け面が形成されてなる第１の水受け部１４１２が取り付けられてなり、上記第１の弾性体１４０５の他端には、上方に向かって水受け面が形成されてなる第２の水受け部１４１３が取り付けられてなる。上記第２の弾性体１４０９は、該第２の弾性体１４０９の基端側上面に取り付けられたＬ字型の押さえ板１４１４により、基端側から先端側にかけて下方に傾斜している。この第２の弾性体１４０９の下面には、上方に向かって水受け面が形成されてなる第３の水受け部１４１５が取り付けられてなる。上記第１乃至第３の水受け部１４１２，１４１３，１４１５は、前記第１の実施の形態に係るルアー１を構成する一方及び他方の水受け部１１，１２と同様の形状とされている。上記第１の水受け部１４１２の先端には、樹脂で成形されたＹ字型の一方の樹脂片１４１７が、布製の接続部１４１６を介して折曲自在に取り付けられてなる。また、上記第２の水受け部１４１３の先端には、樹脂で成形されたＹ字型の他方の樹脂片１４１９が、布製の接続部１４１８を介して折曲自在に取り付けられてなる。上記第３の水受け部１４１５の先端には、布製の尾部１４２０が取り付けられてなる。上記胴体１４０１の上面であって後端側中途部には、図示しない釣り糸を結びつけるための先端がリング状とされた止め具１４２１が取り付けられてなる。なお、このルアー１４００は、水よりも比重が高く設定されているので、水面に投じると例えば湖底まで徐々に沈下する。そして、このルアー１４００を進行方向に操作すると、上記第１乃至第３の水受け部１４１２，１４１３，１４１５に流入した水の抵抗により、図３３中の実線で示すように、上記第１及び第２の弾性体１４０５，１４０９は下方に湾曲され、該ルアー１４００の進行が止まると、上記第１及び第２の弾性体１４０５，１４０９の弾性力により、図３３中の二点鎖線で示す位置まで復帰する。そしてこのルアー１４００の操作を繰り返すと、上記第１及び第２の弾性体１４０５，１４０９は湾曲と復帰を繰り返し、魚の餌である小海老に極めて酷似した動きで水中を移動し、水中の魚を刺激する。
【００３５】
なお、本発明にかかる弾性体に取り付けられる水受け部の形状は、図３４に示す水受け部１５００のように、中空状に成形され、水が流入するパイプ部１５０１と、このパイプ部１５０１の一端を閉塞し、上記パイプ部１５０１内に流入した水が当接する円形状の当接部１５０２と、上記パイプ部１５０１の他端に形成されたＶ字状の切り欠き部１５０１ａと、から構成されたものや、図３５に示す水受け部１６００のように、中空状に成形され、水が流入するパイプ部１６０１と、このパイプ部１６０１の一端を閉塞し、上記パイプ部１６０１内に流入した水が当接する半円状の当接部１６０２と、上記パイプ部１６０１の一端が樋状に成形された凹面部１６０３と、から構成されたものであってもよい。また、弾性体の進行方向側に、進行方向に対して碗状の凹面が形成されている水受け部材（図は省略する。）が複数取り付けられたものであってもよい。
【００３６】
【効果】
前述した本発明の各実施の形態の説明からも明らかなように、第１の発明（請求項１記載の発明）に係るルアーによれば、水よりも比重の低い材料により成形された胴体と、この胴体の中途部の左右両側又は後端の左右両側に形成された脚部と、を備えたルアーを、釣り竿に取り付けられた釣り糸の先端に結びつけ、該ルアーを魚が潜んでいると思われる川、湖或いは海の水面に投じ、釣り竿を手で操作することにより、水面上で該ルアーを移動させる。上記脚部は、上記胴体から左右に突出されてなる細長い弾性体と、この弾性体の一端側に固定され進行方向と直交する方向に水受け面が形成されている一方の水受け部と、上記弾性体の他端側に固定され進行方向と直交する方向に水受け面が形成されている他方の水受け部と、を備えているので、上記胴体が、釣り竿の操作により進行方向に移動したときに、上記一方及び他方の水受け部に流入した水の抵抗により、上記脚部は上記胴体と一直線となる。上記胴体の進行が止まると、上記脚部は上記脚部に備えられた上記弾性体の弾力により、元の位置に復帰する。こうした釣り竿の操作を繰り返すことにより、上記弾性体は折曲と復帰を繰り返しながら胴体が水面上を移動するので、該ルアーは、あたかも魚の餌である例えば蛙のような小動物に極めて酷似した動きを行い、水面下の魚を刺激し、魚の食性をも刺激するので、従来のルアーと比較すると極めて高い釣果を上げることができる。
【００３７】
第２の発明（請求項２記載の発明）に係るルアーでは、前記一方及び他方の水受け部の先端には、前記胴体が進行方向に操作された際該一方及び他方の水受け部内に流入した水が当接する当接部が形成されてなるので、該一方及び他方の水受け部内に流入した水の抵抗がより大きいものとなり、従って、前記弾性体は折曲と復帰の動きもより大きいものとなる。従って、前記弾性体の湾曲と復帰の動きもより小動物の動きに近いものとなる。
【００３８】
また、第３の発明（請求項３記載の発明）に係るルアーでは、前記弾性体は、長方形状のゴム板からなることから安価となり、水受け部の取り付けも簡単となる等、製造も容易とすることができる。
【００３９】
また、第４の発明（請求項４記載の発明）に係るルアーでは、前記胴体には、該胴体の進行方向と平行に形成された１又は２以上の溝部が形成されてなるので、該胴体が進行する際に、該溝部内を水が流通する。これにより、該胴体が水面上を進行する際に振れることなく安定させることができ、より小動物の動きに近いものとすることができる。
【００４０】
また、第５の発明（請求項５記載の発明）に係るルアーでは、水よりも比重の低い材料により成形された胴体の左右両側に脚部支持部材が形成されており、この脚部支持部材に対して回動可能に支持されてなる一方及び他方の脚部に一方及び他方の羽板が固定されてなり、該ルアーが進行する際に、上記一方及び他方の脚部を構成する弾性体の弾性力と水受け部に流入した水の抵抗により、上記一方及び他方の脚部が回動運動を行い、上記一方及び他方の脚部に固定された上記一方及び他方の羽板が水面を打ち、音や振動が生じ、魚の餌である例えば虫のような小動物に極めて酷似した動きを行う。
【００４１】
また、第６の発明（請求項６記載の発明）に係るルアーでは、水よりも比重の高い材料により成形された胴体の前端に第１の弾性体を備え、前記胴体の後端には第２の弾性体を備えてなり、前記第１の弾性体の一端及び他端には、上方に対して水受け面が形成されている第１乃至第２の水受け部が固定され、前記第２の弾性体には、上方に対して水受け面が形成されている第３の水受け部が固定されているので、該ルアーを操作すると、上記第１乃至第３の水受け部に流入した水の抵抗により、上記第１乃至第２の弾性体は下方に湾曲され、該ルアーの進行が止まると、上記第１乃至第２の弾性体の弾性力により、元の位置に復帰する。このようにして該ルアーの操作を繰り返すと、前記第１乃至第２の弾性体は湾曲と復帰を繰り返し、魚の餌である例えば小海老のような動きで水中を移動し、水中の魚を刺激する。したがって、この第６の発明に係るルアーによっても、第１に発明と同じように、釣果を上げることができる。
【図面の簡単な説明】
【図１】図１は、第１の実施の形態に係るルアーを示す斜視図である。
【図２】図２は、第１の実施の形態に係るルアーを示す正面図である。
【図３】図３は、第１の実施の形態に係るルアーを示す背面図である。
【図４】図４は、第１の実施の形態に係るルアーの脚部の動きを示す平面図である。
【図５】図５は、第２の実施の形態に係るルアーを示す斜視図である。
【図６】図６は、第２の実施の形態に係るルアーを示す正面図である。
【図７】図７は、第３の実施の形態に係るルアーを示す平面図である。
【図８】図８は、第３の実施の形態に係るルアーを示す右側面図である。
【図９】図９は、第４の実施の形態に係るルアーを示す右側面図である。
【図１０】図１０は、第４の実施の形態に係るルアーを示す正面図である。
【図１１】図１１は、第５の実施の形態に係るルアーを示す斜視図である。
【図１２】図１２は、本発明に係るルアーを構成する脚部の異なる形態を示す斜視図である。
【図１３】図１３は、本発明に係るルアーを構成する胴体の異なる形態を示す斜視図である。
【図１４】図１４は、第６の実施の形態に係るルアーを示す分解斜視図である。
【図１５】図１５は、図１４のＡ−Ａ線断面図である。
【図１６】図１６は、第７の実施の形態に係るルアーを示す斜視図である。
【図１７】図１７は、第７の実施の形態に係るルアーの水面での動きを示す斜視図である。
【図１８】図１８は、第８の実施の形態に係るルアーを示す斜視図である。
【図１９】図１９は、第８の実施の形態に係るルアーの水面での動きを示す斜視図である。
【図２０】図２０は、第９の実施の形態に係るルアーを示す斜視図である。
【図２１】図２１は、図２０のＢ−Ｂ線断面図である。
【図２２】図２２は、第１０の実施の形態に係るルアーを示す斜視図である。
【図２３】図２３は、第１１の実施の形態に係るルアーを示す斜視図である。
【図２４】図２４は、第１１の実施の形態に係るルアーの動きを示す平面図である。
【図２５】図２５は、第１２の実施の形態に係るルアーを示す斜視図である。
【図２６】図２６は、第１２の実施の形態に係るルアーの動きを示す平面図である。
【図２７】図２７は、第１３の実施の形態に係るルアーを示す底面図である。
【図２８】図２８は、第１３の実施の形態に係るルアーの動きを示す斜視図である。
【図２９】図２９は、第１４の実施の形態に係るルアーを示す斜視図である。
【図３０】図３０は、第１４の実施の形態に係るルアーの羽板を示す斜視図である。
【図３１】図３１は、第１４の実施の形態に係るルアーの動きを示す平面図である。
【図３２】図３２は、第１５の実施の形態に係るルアーを示す斜視図である。
【図３３】図３３は、第１５の実施の形態に係るルアーの動きを示す斜視図である。
【図３４】図３４は、本発明に係るルアーの水受け部の異なる形態を示す斜視図である。
【図３５】図３５は、本発明に係るルアーの水受け部の異なる形態を示す斜視図である。
【符号の説明】
１  ルアー
２  胴体
２ｄ  溝部
２ｅ  溝部
３  脚部
４  脚部
７  弾性体
１１  水受け部
１１ａ  当接部
１２  水受け部
１２ａ  当接部
３０  ルアー
３１  胴体
３１ａ  溝部
３２  脚部
３３  脚部
３６  弾性体
３９  水受け部
３９ａ  当接部
４０  水受け部
４０ａ  当接部
６０  ルアー
６１  胴体
６２  脚部
６３  脚部
７０  弾性体
７４  水受け部
７４ａ  当接部
７５  水受け部
７５ａ  当接部
１００  ルアー
１０１  胴体
１０２  脚部
１０３  脚部
２００  ルアー
２０１  胴体
２０２  脚部
２０３  脚部
２０４  脚部
２０５  脚部
２０８  弾性体
２０９  弾性体
３００  脚部
３０１  弾性体
３０２  水受け部
３０３  水受け部
４００  胴体
５００  ルアー
５０１  胴体
５０２  脚部
５０３  脚部
５０５  弾性体
５０６  水受け部
５０７  水受け部
６００  ルアー
６０１  胴体
６０２  脚部
６０３  脚部
６０４  羽板
６０５  羽板
６０７  脚部支持部材
６０８  脚部支持部材
６０９  弾性体
６１０  水受け部
６１１  弾性体
６１２  水受け部
７００  ルアー
７０１  胴体
７０２  脚部
７０３  脚部
７０４  羽板
７０５  羽板
７０７  脚部支持部材
７０８  脚部支持部材
７０９  弾性体
７１０  水受け部
７１１  弾性体
７１２  水受け部
８００  ルアー
８０１  胴体
８０２  羽板
８０３  羽板
８１２  水受け部
８１５  水受け部
９００  ルアー
９０１  胴体
９０２  脚部
９０３  脚部
９０４  脚部
９０５  脚部
９０６  羽板
９０７  羽板
９０８  羽板
９０９  羽板
９１０  脚部支持部材
９１１  脚部支持部材
９１２  脚部支持部材
９１３  脚部支持部材
９１４  弾性体
９１５  水受け部
９１６  弾性体
９１７  水受け部
９１８  弾性体
９１９  水受け部
９２０  弾性体
９２１  水受け部
１０００  ルアー
１００２  弾性体
１００３  弾性体
１００４  水受け部
１００５  水受け部
１１００  ルアー
１１０１  胴体
１１０２  脚部
１１０３  脚部
１１０７  弾性体
１１０８  弾性体
１１１３  弾性体
１１１６  弾性体
１１１９  水受け部
１１２０  水受け部
１２００  ルアー
１２０１  胴体
１２０２  脚部
１２０３  脚部
１２０４  弾性体
１２０７  弾性体
１２０８  水受け部
１２１６  弾性体
１２１９  弾性体
１２２０  水受け部
１３００  ルアー
１３０１  胴体
１３０２  羽板
１３０３  羽板
１３０６  弾性体
１３０８  弾性体
１３０２ａ  水受け部
１３０３ａ  水受け部
１４００  ルアー
１４０１  胴体
１４０２  脚部
１４０３  脚部
１４０４  脚部
１４０５  弾性体
１４０９  弾性体
１４１２  水受け部
１４１３  水受け部
１４１５  水受け部
１５００  水受け部
１５０２  当接部
１６００  水受け部
１６０２  当接部
【図１】
0003752567.tif 000002
【図２】
0003752567.tif 000003
【図３】
0003752567.tif 000004
【図４】
0003752567.tif 000005
【図５】
0003752567.tif 000006
【図６】
0003752567.tif 000007
【図７】
0003752567.tif 000008
【図８】
0003752567.tif 000009
【図９】
0003752567.tif 000010
【図１０】
0003752567.tif 000011
【図１１】
0003752567.tif 000012
【図１２】
0003752567.tif 000013
【図１３】
0003752567.tif 000014
【図１４】
0003752567.tif 000015
【図１５】
0003752567.tif 000016
【図１６】
0003752567.tif 000017
【図１７】
0003752567.tif 000018
【図１８】
0003752567.tif 000019
【図１９】
0003752567.tif 000020
【図２０】
0003752567.tif 000021
【図２１】
0003752567.tif 000022
【図２２】
0003752567.tif 000023
【図２３】
0003752567.tif 000024
【図２４】
0003752567.tif 000025
【図２５】
0003752567.tif 000026
【図２６】
0003752567.tif 000027
【図２７】
0003752567.tif 000028
【図２８】
0003752567.tif 000029
【図２９】
0003752567.tif 000030
【図３０】
0003752567.tif 000031
【図３１】
0003752567.tif 000032
【図３２】
0003752567.tif 000033
【図３３】
0003752567.tif 000034
【図３４】
0003752567.tif 000035
【図３５】
0003752567.tif 000036